(57)【要約】【課題】表示装置取付構造において、視認性を高く維持しながら表示装置を電動リールに取り付けできるようにする。【解決手段】釣り情報表示装置を電動リール１００に取り付けるには、コード５０のコードコネクタ５４を取付アダプタ７０の第１コネクタ７２に接続し、取付アダプタ７０の第２コネクタ７３を電動リール１００のリールコネクタ１９に接続することによって、取付アダプタ７０を電動リール１００に装着固定する。釣り情報表示装置の雌ねじ部を取付アダプタ７０の連結部７４の表示装置固定部に螺合し、釣り情報表示装置を取付アダプタ７０の連結部７４に装着固定することによって、釣り情報表示装置を電動リール１００に取り付けている。【選択図】図９
2012231691.tif 000002
【特許請求の範囲】
【請求項１】
釣りに関する情報を表示する表示装置を電動リールに取り付ける表示装置取付構造であって、
一端がバッテリに接続されるコードの他端に設けられたコードコネクタと、
前記電動リールに設けられ、前記コードコネクタが着脱可能に接続されるリールコネクタと、
先端が前記表示装置に固定され、基端が前記コードコネクタと前記リールコネクタとの間に固定された固定部と、
を備えた表示装置取付構造。
【請求項２】
前記固定部は、本体部と、前記本体部の一端に設けられ前記コードコネクタに着脱可能に接続される第１コネクタと、前記本体部の他端に設けられ前記リールコネクタに着脱可能に接続される第２コネクタとを有している、請求項１に記載の表示装置取付構造。
【請求項３】
前記固定部は、基端に設けられ前記第１コネクタと前記第２コネクタとの間の前記本体部に固定される本体部固定部と、先端に設けられ前記表示装置が固定される表示装置固定部とを有する連結部さらに有している、請求項２に記載の表示装置取付構造。
【請求項４】
前記連結部は、前記表示装置の位置を変更可能に変形する可撓部材により形成されている、請求項３に記載の表示装置取付構造。
【請求項５】
前記連結部は、前記本体部と別体で形成されている、請求項３又は４に記載の表示装置取付構造。
【請求項６】
前記連結部は、前記本体部と一体成形されている、請求項３又は４に記載の表示装置取付構造。
【請求項７】
前記固定部は、本体部と、前記本体部に設けられ前記コードコネクタと前記リールコネクタとの間に挿通され前記コードコネクタを前記リールコネクタに接続したときに挟持される挟持部と、前記本体部に設けられ前記表示装置が固定される表示装置固定部とを有している、請求項１に記載の表示装置取付構造。
【請求項８】
前記本体部は、板状部材により形成されており、
前記挟持部は、前記本体部を貫通する貫通孔である、請求項７に記載の表示装置取付構造。
【発明の詳細な説明】
【技術分野】
【０００１】
本発明は、表示装置取付構造、特に、釣りに関する情報を表示する表示装置を電動リールに取り付ける表示装置取付構造に関する。
【背景技術】
【０００２】
一般に、釣り用リールは、リール本体と、リール本体に装着されたスプールと、スプールを回転させるハンドルと、リール本体の上部に装着されるカウンタケースと、カウンタケースの上面に設けられ水深表示用の表示部を有する表示装置とを備えている。表示部は、たとえば液晶ディスプレイであり、棚位置や現在の仕掛けの水深等のリールに関する情報を表示することができる。
【０００３】
この種の表示装置を有する釣り用リールでは、カウンタケースの表示部にはリールに関する情報が表示される。しかし、近年、リールに関する情報が増加し、表示部に全ての情報を表示することが困難になりつつある。そこで、リールに関する情報を表示可能な表示部を有する表示装置をリールの外部に設け、釣り船の船縁に着脱自在に装着したものが知られている（たとえば、特許文献１参照）。この表示装置は、リールに関する情報を表示させるだけでなく、魚群探知機や全地球測位システム（ＧＰＳ）等からの釣りに関する情報を表示させることができる。また、このような表示装置では、表示装置を小型バッテリに装着し、小型バッテリを電動リールに着脱自在に装着することによって、表示装置を電動リールに取り付けたものが知られている（たとえば、特許文献２参照）。
【先行技術文献】
【特許文献】
【０００４】
【特許文献１】特許第４２２１２８１号公報
【特許文献２】特開２００８−１８２９６７号公報
【発明の概要】
【発明が解決しようとする課題】
【０００５】
前記従来の表示装置では、表示装置を小型バッテリに装着し、小型バッテリを電動リールに着脱自在に装着することによって、表示装置を電動リールに取り付けている。このため、表示装置を電動リールに取り付けるためには、小型バッテリを電動リールに取り付ける必要が生じる。一般に、小型バッテリは、ある程度のサイズが必要となるので、たとえば、電動リールの下方等の釣り動作の邪魔にならない箇所に取り付けられる。しかし、電動リールの下方に小型バッテリを取り付けると、表示装置も電動リールの下方に取り付けることになるので、表示装置の視認性が低下するおそれが生じる。
【０００６】
本発明の課題は、表示装置取付構造において、視認性を高く維持しながら表示装置を電動リールに取り付けできるようにすることにある。
【課題を解決するための手段】
【０００７】
発明１に係る表示装置取付構造は、釣りに関する情報を表示する表示装置を電動リールに取り付ける表示装置取付構造であって、コードコネクタと、リールコネクタと、固定部とを備えている。コードコネクタは、一端がバッテリに接続されるコードの他端に設けられている。リールコネクタは、電動リールに設けられ、コードコネクタが着脱可能に接続されている。固定部は、先端が表示装置に固定され、基端がコードコネクタとリールコネクタとの間に固定されている。
【０００８】
この表示装置取付構造では、バッテリが接続されるコードのコードコネクタと、電動リールのリールコネクタとの間に、表示装置を取り付けるための固定部を設けられている。ここでは、電動リールのリールコネクタやバッテリコードのコードコネクタを用いて表示装置を取り付けているので、従来のように表示装置を電動リールに取り付けるために、小型バッテリを電動リールに取り付ける必要がなくなる。したがって、電動リールの下方に小型バッテリを取り付けた場合でも、表示装置を視認性の良好な箇所に配置することができるので、視認性を高く維持しながら表示装置を電動リールに取り付けることができる。
【０００９】
発明２に係る表示装置取付構造は、発明１の表示装置取付構造において、固定部は、本体部と、第１コネクタと、第２コネクタとを有している。第１コネクタは、本体部の一端に設けられ、コードコネクタに着脱可能に接続されている。第２コネクタは、本体部の他端に設けられ、リールコネクタに着脱可能に接続されている。この場合、第１コネクタをコードコネクタに接続し、第２コネクタをリールコネクタに接続することによって、従来からある電動リールのリールコネクタやバッテリコードのコードコネクタを用いて表示装置を電動リールに取り付けできる。
【００１０】
発明３に係る表示装置取付構造は、発明２の表示装置取付構造において、固定部は、本体部固定部と、表示装置固定部とを有する連結部さらに有している。本体部固定部は、基端に設けられ、第１コネクタと第２コネクタとの間の本体部に固定されている。表示装置固定部は、先端に設けられ、表示装置が固定されている。この場合、連結部を設けることによって、表示装置をさらに視認性の良好な箇所に配置することができる。
【００１１】
発明４に係る表示装置取付構造は、発明３の表示装置取付構造において、連結部は、表示装置の位置を変更可能に変形する可撓部材により形成されている。この場合、連結部をフレキシブルワイヤ等の可撓部材により形成することによって、釣人に合わせて表示装置の位置を任意に変更できる。
【００１２】
発明５に係る表示装置取付構造は、発明３又は４の表示装置取付構造において、連結部は、本体部と別体で形成されている。この場合、連結部を本体部と異なる材質の部材で形成できる。
【００１３】
発明６に係る表示装置取付構造は、発明３又は４の表示装置取付構造において、連結部は、本体部と一体成形されている。この場合、連結部の本体部に対する固定が強固になる。
【００１４】
発明７に係る表示装置取付構造は、発明１の表示装置取付構造において、固定部は、本体部と、挟持部と、表示装置固定部とを有している。挟持部は、本体部に設けられ、コードコネクタとリールコネクタとの間に挿通され、コードコネクタをリールコネクタに接続したときに挟持されている。表示装置固定部は、本体部に設けられ、表示装置が固定されている。この場合、挟持部をコードコネクタとリールコネクタとで挟持することによって、従来からある電動リールのリールコネクタやバッテリコードのコードコネクタを用いて表示装置を電動リールに取り付けできる。
【００１５】
発明８に係る表示装置取付構造は、発明７の表示装置取付構造において、本体部は、板状部材により形成されている。挟持部は、本体部を貫通する貫通孔である。この場合、簡素な構成で挟持部を形成できる。
【発明の効果】
【００１６】
本発明によれば、表示装置取付構造において、バッテリが接続されるコードのコードコネクタと、電動リールのリールコネクタとの間に、表示装置を取り付けるための固定部を設けられているので、視認性を高く維持しながら表示装置を電動リールに取り付けることができる。
【図面の簡単な説明】
【００１７】
【図１】本発明の一実施形態を採用した電動リールの斜視図。
【図２】前記電動リールの左側面断面図。
【図３】前記電動リールの左側面図。
【図４】前記電動リールの平面図。
【図５】前記電動リールの正面図。
【図６】本発明の一実施形態を採用した表示装置の正面図。
【図７】本発明の一実施形態を採用したバッテリの斜視図。
【図８】前記表示装置と取付アダプタとの取り付け部分の拡大正面図。
【図９】前記電動リールのリールコネクタと、前記取付アダプタと、前記バッテリに接続されるコードのコードコネクタとの取り付け部分の拡大正面図。
【図１０】前記電動リールと前記表示装置及び魚群探知機との接続を示すブロック図。
【図１１】他の実施形態の図３に相当する図。
【図１２】他の実施形態の図４に相当する図。
【図１３】他の実施形態の図５に相当する図。
【図１４】他の実施形態の図８に相当する図。
【図１５】他の実施形態の図９に相当する図。
【図１６】他の実施形態の図６に相当する図。
【発明を実施するための形態】
【００１８】
本発明の一実施形態が採用された電動リール１００は、図１から図５に示すように、バッテリ８０（図７参照）から供給された電力により駆動されるとともに、手巻きリールとして使用するときの電源を内部に有する小型の電動リールである。また、電動リール１００は糸繰り出し長さ又は糸巻取長さに応じて仕掛けの水深を表示する水深表示機能を有するリールである。電動リール１００は、釣竿Ｒに装着可能なリール本体１と、リール本体１の側方に配置されたスプール１０の回転用のハンドル２と、ハンドル２のリール本体１側に配置されたドラグ調整用のスタードラグ３と、水深表示用のカウンタケース４とを備えている。
【００１９】
リール本体１は、図１から図５に示すように、左右１対の第１側板７ａ及び第２側板７ｂと、第１側板７ａ及び第２側板７ｂを下部及び前部で連結する第１連結部材７ｃ及び第２連結部材７ｄとからなるフレーム７と、フレーム７の左右を覆う左右の第１側カバー８ａ及び第２側カバー８ｂと、フレーム７の前部を覆う前カバー９とを有している。第２側カバー８ｂには、ハンドル２の回転軸が回転自在に支持されている。ハンドル２の支持部分の上方には、モータ１２を複数段階に制御するための速度調整レバー５が揺動自在に支持されている。第１側カバー８ａの前部底面には、下方に突出する膨出部８ｃが形成されており、膨出部８ｃの下面には、バッテリ８０に接続されたコード５０のコードコネクタ５４が下方から接続可能なリールコネクタ１９が形成されている。また、バッテリ８０が接続されるコード５０のコードコネクタ５４と、電動リール１００のリールコネクタ１９との間には、釣りに関する情報を表示する釣り情報表示装置６０を取り付けるための後述する取付アダプタ７０（固定部の一例）が取り付けられており、リールコネクタ１９は、取付アダプタ７０の後述する第２コネクタ７３が下方から接続可能である。なお、図３、図５及び図９では、電動リール１００のリールコネクタ１９に取付アダプタ７０の第２コネクタ７３を接続した図を示している。
【００２０】
また、リール本体１の下部の第１連結部材７ｃには、釣竿Ｒに装着するための竿取付脚部１４が一体形成されている。リール本体１の前部の第２連結部材７ｄは、スプール１０の前方に筒状に形成されており、内部にスプール１０を駆動するモータ１２が固定されている。前カバー９には、釣り糸通過用の横長の開口部９ａが形成されている。リール本体１の内部には、モータ１２及びハンドル２に連結されたスプール１０が回転自在に支持されている。また、リール本体１の後部には、ハンドル２及びモータ１２とスプール１０との駆動伝達をオン、オフする図示しないクラッチ操作部材１１が配置されている。このクラッチ操作部材１１をオン操作すると、仕掛けの自重による糸繰り出し中に、糸繰り出し動作を停止できる。
【００２１】
また、リール本体１の内部には、図２に示すように、スプール１０に連動して動作するレベルワインド機構１３やハンドル２の回転をスプール１０に伝達する図示しない伝達機構等が設けられている。レベルワインド機構１３は、スプール１０と連動して釣り糸をスプール１０に均一に巻き取るために設けられている。リール本体１の第１側板７ａ及び第２側板７ｂの上部に、図１及び図２に示すように、釣り糸の先に装着された仕掛けの水深を表示するカウンタケース４が固定されている。カウンタケース４には、上面に配置された液晶ディスプレイ（ＬＣＤ）からなる表示部６と、表示部６の後方に左右方向に並べて配置された２つの第１スイッチＳＷ１及び第２スイッチＳＷ２とが装着されている。第１スイッチＳＷ１は、たとえば、０セット用のスイッチであり、第２スイッチＳＷ２は、たとえば、棚メモ等のメモリ用のスイッチである。
【００２２】
カウンタケース４内の上部には、図１０に示すように、表示部６と、表示制御及びモータ御を行う制御部３０とが配置されている。カウンタケース４内の下部にはモータ１２をＰＷＭ駆動するＰＷＭ駆動回路３１が配置されている。またカウンタケース４内の下部には、ブザー４０とスプールセンサ４１とが配置されている。
【００２３】
制御部３０は、カウンタケース４内に配置されたＣＰＵ、ＲＡＭ、ＲＯＭ、Ｉ／Ｏインターフェイス等を含むマイクロコンピュータを含んでいる。制御部３０は、制御プログラムに従って表示部６の表示制御やモータ駆動制御等の各種の制御動作を実行する。制御部３０には、図１０に示すように、第１スイッチＳＷ１及び第２スイッチＳＷ２の各種のスイッチと、スプール１０の回転方向及び回転数（回転位置データ）を検出するためのスプールセンサ４１及びスプールカウンタ４２と、速度調整レバー５とが接続されている。また、制御部３０には、ブザー４０と、ＰＷＭ駆動回路３１と、表示部６と、記憶部４３と、通信部４４と、他の入出力部とが接続されている。
【００２４】
ＰＷＭ駆動回路３１は、モータ１２を駆動するための駆動素子としてのＦＥＴを含んでいる。ＰＷＭ駆動回路３１は、制御部３０によりデューティ比が制御されてモータ１２を速度又は張力可変に駆動する。
【００２５】
スプールセンサ４１は、前後に並べて配置された２つのリードスイッチから構成されている。リードスイッチは、スプール１０に連動して回転する磁石ホイールに装着された２個の磁石を検出する。この検出パルスをスプールカウンタ４２で計数することでリールの回転数を検出できる。また、いずれのリードスイッチが先に検出パルスを発したかによりスプール１０の回転方向を検出できる。
【００２６】
スプールカウンタ４２は、スプールセンサ４１のオンオフ回数を計数するカウンタであり、この計数値によりスプール回転数に関する回転位置データやスプール回転速度が得られる。スプールカウンタ４２は、スプール１０が正転（糸繰り出し方向の回転）すると計数値が減少し、逆転すると増加する。
【００２７】
記憶部４３は、たとえばＥＥＰＲＯＭ等の不揮発メモリからなり、学習結果のデータや糸長算出時に使用する各種のデータ等が記憶されている。
【００２８】
通信部４４は、電動リール１００の外部に設けられた釣り情報表示装置６０の後述する通信部６５（図１０参照）と各種の情報を送受信可能である。
【００２９】
釣り情報表示装置６０は、図１から図６に示すように、外部の電動リール１００（図１から図５参照）や魚群探知機９０（図１０参照）から送信されたリールに関する各種の情報を表示するための比較的小型の表示装置である。釣り情報表示装置６０は、図６に示すように、本体部６４と、本体部６４に装着され各種の情報を表示可能な表示部６３と、表示部６３の下側に配置され各種の操作を行う操作部６２と、本体部６４の内部に配置され各種のデータを記憶する記憶部６６（図１０参照）と、本体部６４の下部に形成され取付アダプタ７０の連結部７４の雄ねじ部である表示装置固定部７４ｂが螺合可能な雌ねじ部６７（図８参照）とを有している。
【００３０】
釣り情報表示装置６０の内部には、図１０に示すように、表示制御等を行うＣＰＵ、ＲＡＭ、ＲＯＭ、Ｉ／Ｏインターフェイス等を含むマイクロコンピュータからなる制御部６１を有している。制御部６１には、通信部６５、操作部６２の各種キー、各種の表示を行うための表示部６３、各種のデータを記憶する記憶部６６が接続されている。記憶部６６には、たとえば複数の誘いデータ等の各種のデータが保持され、これらのデータを元に釣人が釣り情報表示装置６０の操作部６２を操作することにより、通信部６５、通信部４４、制御部３０を介してリールの制御である棚停止機能、誘い機能や自動しゃくり機能等の制御を行うことができる。
【００３１】
操作部６２は、表示部６３の表示制御等の各種の制御を行うスイッチである。操作部６２は、表示部６３の下側に４個のボタンが横方向に並べて配置されており、左側から右側に向かって、「決定」、「キャンセル（戻る）」、「上」、「下」の機能を有するスイッチである。これらの操作部６２を操作することによって、各種の設定が行われる。操作部６２は、釣り情報表示装置６０側の制御だけでなく、電動リール１００側の制御を行うことができる。たとえば操作部６２の操作により、棚停止等の制御を行ったり、モータ１２の回転制御等を行うことができる。
【００３２】
表示部６３は、ドットマトリックス方式の液晶ディスプレイであって、たとえばカラーＴＦＴ方式の液晶ディスプレイである。表示部６３は、電動リール１００の表示部６で表示可能な水深情報と、表示部６で表示可能な水深情報以外のリールに関する情報の他部分の情報との両方の情報が表示可能である。表示部６３は、水深表示モードのときは、図３に示すように、左側に配置された３桁のドット数字表示の水深表示領域と、その下方に配置されたドット数字表示の気圧表示領域と、気圧表示領域の下側に配置された仕掛回収表示領域とを有している。また、表示部６３は、メニュー表示モードのときは、図４に示すように、「ＸＸＸ（釣り情報表示装置６０の機種名）」、「カメラ」、「設定」、「ヘルプ」の４つのメニューアイコンをドット表示可能である。また、表示部６３は、情報モードのときは、ヘルプ表示や、誘いデータに関する設定や、各種の設定を行うためのオプション情報が表示可能である。このオプション情報表示画面では、水深情報以外の付加的な情報を表示したり、各種の設定を行うことができる。
【００３３】
通信部６５は、図１０に示すように、電動リール１００に設けられた通信部４４及び魚群探知機９０の通信部と無線通信可能である。また、釣り情報表示装置６０と図示しない外部電源とは、鰐口式のコードにより連結され、これにより電力が供給されている。
【００３４】
本体部６４は、図６に示すように、各種の電気部品が収納される図６裏側の合成樹脂製のケース部材と、表示部６３が設けられる図３表側の合成樹脂製のケース部材とを有する縦長小型のボックス形状のケース部材である。本体部６４は、表示部６３側の表側ケースと逆側の裏側ケースとにより構成されており、内部に図示しない防水部材が介装されることによって、本体部６４の内部に浸水するのを防止できる。
【００３５】
バッテリ８０は、図７に示すように、コード５０を介して電動リール１００に電気的に接続され、船縁の近傍に載置可能な比較的小型かつ軽量の充電を繰り返し行うことができるリチウムイオンバッテリである。バッテリ８０は、図７に示すように、上面視長円形の略直方体形状に形成され、側部中央が凹んだ湾曲形状になっている。バッテリ８０の側部は、合成樹脂製の部材で覆われており、バッテリ８０の上部両端には、コード５０の基端部に接続される略Ｌ字状の第１端子部８１及び第２端子部８２が設けられている。第１端子部８１及び第２端子部８２には、図７に示すように、コード５０の基端部に設けられた第１鰐口クリップ５１及び第２鰐口クリップ５２を挟み込むことにより、バッテリ８０とコード５０とが電気的に接続されている。
【００３６】
コード５０は、図７に示すように、バッテリ８０に接続される第１鰐口クリップ５１及び第２鰐口クリップ５２と、２方向に分岐した基端部に第１鰐口クリップ５１及び第２鰐口クリップ５２が設けられたコード本体５３と、コード本体５３の先端部に設けられ電動リール１００のリールコネクタ１９に接続されるコードコネクタ５４とを有している。ここでは、コード５０の第１鰐口クリップ５１及び第２鰐口クリップ５２をバッテリ８０に接続し、コード５０のコードコネクタ５４を電動リール１００のリールコネクタ１９に接続することによって、バッテリ８０の電力が電動リール１００に供給される。
【００３７】
また、前述したように、バッテリ８０が接続されるコード５０のコードコネクタ５４と、電動リール１００のリールコネクタ１９との間には、釣りに関する情報を表示する釣り情報表示装置６０を取り付けるための取付アダプタ７０が取り付けられている。
【００３８】
取付アダプタ７０は、図３、図６、図８及び図９に示すように、釣りに関する情報を表示する釣り情報表示装置６０を電動リール１００に取り付けるためのアダプタであって、先端が釣り情報表示装置６０に固定され、基端がコード５０のコードコネクタ５４と電動リール１００のリールコネクタ１９との間に固定されている。
【００３９】
取付アダプタ７０は、図８及び図９に示すように、本体部７１と、本体部７１の一端に設けられコードコネクタ５４に着脱可能に接続される第１コネクタ７２と、本体部７１の他端に設けられリールコネクタ１９に着脱可能に接続される第２コネクタ７３と、基端が本体部７１に固定され先端に釣り情報表示装置６０が固定される連結部７４とを有している。
【００４０】
本体部７１は、図９に示すように、一端（図９下側）に第１コネクタ７２が形成され、他端（図９上側）に第２コネクタ７３が形成された略円柱状の合成樹脂製のアダプタである。本体部７１の側部には、フレキシブルワイヤ等の可撓部材により形成された別体の連結部７４が装着固定されている。
【００４１】
第１コネクタ７２は、図９に示すように、コード５０のコードコネクタ５４に着脱可能に接続されるコネクタである。第１コネクタ７２は、コードコネクタ５４の先端（図９上側）に形成された２つの端子孔５４ａが装着可能な２つの端子ピン７２ａと、端子ピン７２ａの周囲の外周側に形成されコードコネクタ５４の先端（図９上側）の内周側に形成された雌ねじ部５４ｂが螺合可能な雄ねじ部７２ｂが形成されている。ここでは、コードコネクタ５４の端子孔５４ａを取付アダプタ７０の端子ピン７２ａに装着し、コードコネクタ５４の雌ねじ部５４ｂを取付アダプタ７０の雄ねじ部７２ｂに螺合させることによって、コード５０のコードコネクタ５４が取付アダプタ７０の第１コネクタ７２に接続される。
【００４２】
第２コネクタ７３は、図９に示すように、電動リール１００のリールコネクタ１９に着脱可能に接続されるコネクタである。第２コネクタ７３は、リールコネクタ１９の先端（図９下側）に形成された２つの端子ピン１９ａに装着可能な２つの端子孔７３ａと、端子孔７３ａの周囲の内周側に形成されリールコネクタ１９の先端（図９下側）の外周側に形成された雄ねじ部１９ｂに螺合可能な雌ねじ部７３ｂが形成されている。ここでは、取付アダプタ７０の端子孔７３ａをリールコネクタ１９の端子ピン１９ａに装着し、取付アダプタ７０の雌ねじ部７３ｂをリールコネクタ１９の雄ねじ部１９ｂに螺合させることによって、取付アダプタ７０の第２コネクタ７３が電動リール１００のリールコネクタ１９に接続される。なお、電動リール１００のリールコネクタ１９の端子ピン１９ａ及び雄ねじ部１９ｂは、取付アダプタ７０の第１コネクタ７２の端子ピン７２ａ及び雄ねじ部７２ｂと同一形状であり、取付アダプタ７０の第２コネクタ７３の端子孔７３ａ及び雌ねじ部７３ｂは、コード５０のコードコネクタ５４の端子孔５４ａ及び雌ねじ部５４ｂと同一形状である。このため、電動リール１００のリールコネクタ１９には、取付アダプタ７０の第２コネクタ７３及びコード５０のコードコネクタ５４がそれぞれ接続可能になっている。
【００４３】
連結部７４は、釣り情報表示装置６０の位置を変更可能に変形するフレキシブルワイヤ等の金属製の可撓部材により形成されている。連結部７４は、本体部７１と別体で形成された棒状の部材であって、先端が電動リール１００のカウンタケース４の側部に位置するように延びている。連結部７４は、図３に示すように、基端に設けられ第１コネクタ７２と第２コネクタ７３との間の本体部７１に固定される本体部固定部７４ａと、先端に設けられ表示装置が固定される表示装置固定部７４ｂとを有している。本体部固定部７４ａは、図３及び図９に示すように、取付アダプタ７０の本体部７１の側部に着脱不能に装着固定されている。表示装置固定部７４ｂは、図８に示すように、釣り情報表示装置６０の本体部６４の下部に形成された雌ねじ部６７に螺合可能な雄ねじ部である。ここでは、釣り情報表示装置６０の雌ねじ部６７を取付アダプタ７０の連結部７４の表示装置固定部７４ｂ（雄ねじ部）に螺合することによって、釣り情報表示装置６０を取付アダプタ７０の連結部７４に着脱可能に装着固定している。
【００４４】
釣り情報表示装置６０を電動リール１００に取り付けるには、まず、コード５０のコードコネクタ５４を取付アダプタ７０の第１コネクタ７２に接続し、取付アダプタ７０の第２コネクタ７３を電動リール１００のリールコネクタ１９に接続することによって、取付アダプタ７０を電動リール１００に装着固定する。そして、釣り情報表示装置６０の雌ねじ部６７を取付アダプタ７０の連結部７４の表示装置固定部７４ｂ（雄ねじ部）に螺合し、釣り情報表示装置６０を取付アダプタ７０の連結部７４に装着固定することによって、釣り情報表示装置６０が電動リール１００に取り付けられる。このとき、釣り情報表示装置６０は、視認性の良好な電動リール１００の側部上方に位置するように配置されるが、可動性を有する連結部７４を捻る（変形させる）ことによって釣り情報表示装置６０の表示部６の向きを釣人に合わせて任意に変更できる。
【００４５】
ここでは、バッテリ８０が接続されるコード５０のコードコネクタ５４と、電動リール１００のリールコネクタ１９との間に、釣り情報表示装置６０を取り付けるための取付アダプタ７０を設けられている。ここでは、電動リール１００のリールコネクタ１９やコード５０のコードコネクタ５４を用いて釣り情報表示装置６０を取り付けているので、従来のように釣り情報表示装置６０を電動リール１００に取り付けるために、小型バッテリを電動リール１００に取り付ける必要がなくなる。したがって、電動リール１００の下方に小型バッテリを取り付けた場合でも、釣り情報表示装置６０を視認性の良好な電動リール１００の側部上方に配置することができるので、視認性を高く維持しながら釣り情報表示装置６０電動リール１００に取り付けることができる。さらに、ここでは、第１コネクタ７２をコードコネクタ５４に接続し、第２コネクタ７３をリールコネクタ１９に接続することによって、従来からある電動リール１００のリールコネクタ１９やコード５０のコードコネクタ５４を用いて釣り情報表示装置６０電動リール１００に取り付けることができる。
【００４６】
〔他の実施形態〕
（ａ）  前記実施形態では、小型の電動リールを例にあげて説明したが、電動リールの大きさや形状はこれに限定されるものではない。
【００４７】
（ｂ）  前記実施形態では、取付アダプタ７０は、コードコネクタ５４に着脱可能に接続される第１コネクタ７２と、リールコネクタ１９に着脱可能に接続される第２コネクタ７３とを有していたが、図１１から図１５に示すように、取付アダプタ７０は、板状の本体部７０ａと、本体部７０ａに形成されコードコネクタ５４とリールコネクタ１９との間に挿通されコードコネクタ５４をリールコネクタ１９に接続したときに挟持される挟持部７０ｂと、基端に形成され本体部７０ａに固定される本体部固定部７０ｄと先端に形成され釣り情報表示装置６０が固定される表示装置固定部７０ｅとを有する連結部７０ｃと、を有する構成であってもよい。
【００４８】
具体的には、本体部７０ａは、図１２に示すように、外形が矩形の金属製の板状部材である。挟持部７０ｂは、図１２に示すように、本体部７０ａを貫通する貫通孔であって、リールコネクタ１９の雄ねじ部１９ｂの最大外径よりやや大径かつコード５０の雌ねじ部５４ｂが形成された部分の外径より小径になるように形成されている。このため、挟持部７０ｂは、図１５に示すように、リールコネクタ１９の外周側に挿通可能であり、コードコネクタ５４をリールコネクタ１９に接続したときにコードコネクタ５４と電動リール１００とで挟持されるようになっている。連結部７０ｃは、釣り情報表示装置６０の位置を変更可能に変形するフレキシブルワイヤ等の金属製の可撓部材により形成されている。連結部７０ｃは、本体部７０ａと別体で形成された棒状の部材であって、先端が電動リール１００のカウンタケース４の側部に位置するように延びている。連結部７０ｃは、図１１に示すように、基端に形成され本体部７０ａに固定される本体部固定部７０ｄと、先端に形成され釣り情報表示装置６０が固定される表示装置固定部７０ｅとを有している。本体部固定部７０ｄは、図１１から図１３及び図１５に示すように、本体部７０ａに形成された貫通孔７０ｆを貫通し、先端部に形成された雄ねじ部に、本体部７０ａの下側から取り付けられた袋ナット７５の雌ねじ部７５ａを螺合させることによって、連結部７０ｃを本体部７０ａに着脱可能に装着固定されている。表示装置固定部７０ｅは、図１４に示すように、釣り情報表示装置６０の本体部６４の下部に形成された雌ねじ部６７に螺合可能な雄ねじ部である。ここでは、釣り情報表示装置６０の雌ねじ部６７を連結部７０ｃの表示装置固定部７０ｅ（雄ねじ部）に螺合することによって、釣り情報表示装置６０を連結部７０ｃに着脱可能に装着固定している。
【００４９】
釣り情報表示装置６０を電動リール１００に取り付けるには、まず、取付アダプタ７０の挟持部７０ｂをリールコネクタ１９の外周側に挿通し、コードコネクタ５４をリールコネクタ１９に接続することによって、挟持部７０ｂをコードコネクタ５４と電動リール１００とで挟持する。そして、連結部７０ｃの本体部固定部７０ｄを貫通孔７０ｆを貫通させ、連結部７０ｃの先端部に形成された雄ねじ部に、本体部７０ａの下側から取り付けられた袋ナット７５の雌ねじ部７５ａを螺合させることによって、連結部７０ｃを本体部７０ａに装着固定する。そして、釣り情報表示装置６０の雌ねじ部６７を連結部７０ｃの表示装置固定部７０ｅ（雄ねじ部）に螺合し、釣り情報表示装置６０を連結部７０ｃに装着固定することによって、釣り情報表示装置６０が電動リール１００に取り付けられる。このとき、釣り情報表示装置６０は、視認性の良好な電動リール１００の側部上方に位置するように配置されるが、可動性を有する連結部７０ｃを捻る（変形させる）ことによって釣り情報表示装置６０の表示部６の向きを釣人に合わせて任意に変更できる。ここでは、挟持部７０ｂをコードコネクタ５４とリールコネクタ１９とで挟持することによって、従来からある電動リール１００のリールコネクタ１９やコード５０のコードコネクタ５４を用いて釣り情報表示装置６０を電動リール１００に取り付けることができる。
【００５０】
（ｃ）  前記実施形態では、取付アダプタ７０は、連結部７４が本体部７１と別体で形成されていたが、連結部７４を本体部７１と一体成形してもよい。
【００５１】
（ｄ）  前記実施形態では、取付アダプタ７０の連結部７４の表示装置固定部７４ｂは、釣り情報表示装置６０の雌ねじ部６７に螺合可能な雄ねじ部であったが、図１６に示すように、連結部７４の先端部に固定され釣り情報表示装置６０の下部を保持可能な合成樹脂製のクレードル状の部材であってもよい。
【符号の説明】
【００５２】
１  リール本体
２  ハンドル
３  スタードラグ
４  カウンタケース
５  速度調整レバー
６  表示部
７  フレーム
７ａ  第１側板
７ｂ  第２側板
７ｃ  第１連結部材
７ｄ  第２連結部材
８ａ  第１側カバー
８ｂ  第２側カバー
８ｃ  膨出部
９  前カバー
９ａ  開口部
１０  スプール
１１  クラッチ操作部材
１２  モータ
１３  レベルワインド機構
１４  竿取付脚部
１９  リールコネクタ
１９ａ  端子ピン
１９ｂ  雄ねじ部
３０  制御部
３１  ＰＷＭ駆動回路
４０  ブザー
４１  スプールセンサ
４２  スプールカウンタ
４３  記憶部
４４  通信部
５０  コード
５１  第１鰐口クリップ
５２  第２鰐口クリップ
５３  コード本体
５４  コードコネクタ
５４ａ  端子孔
５４ｂ  雌ねじ部
６０  釣り情報表示装置
６１  制御部
６２  操作部
６３  表示部
６４  本体部
６５  通信部
６６  記憶部
６７  雌ねじ部
７０  取付アダプタ
７０ａ  本体部
７０ｂ  挟持部
７０ｃ  連結部
７０ｄ  本体部固定部
７０ｅ  表示装置固定部
７０ｆ  貫通孔
７１  本体部
７２  第１コネクタ
７２ａ  端子ピン
７２ｂ  雄ねじ部
７３  第２コネクタ
７３ａ  端子孔
７３ｂ  雌ねじ部
７４  連結部
７４ａ  本体部固定部
７４ｂ  表示装置固定部
７５  袋ナット
７５ａ  雌ねじ部
８０  バッテリ
８１  第１端子部
８２  第２端子部
９０  魚群探知機
１００  電動リール
Ｒ  釣竿
ＳＷ１  第１スイッチ
ＳＷ２  第２スイッチ
【図１】
2012231691.tif 000003
【図２】
2012231691.tif 000004
【図３】
2012231691.tif 000005
【図４】
2012231691.tif 000006
【図５】
2012231691.tif 000007
【図６】
2012231691.tif 000008
【図７】
2012231691.tif 000009
【図８】
2012231691.tif 000010
【図９】
2012231691.tif 000011
【図１０】
2012231691.tif 000012
【図１１】
2012231691.tif 000013
【図１２】
2012231691.tif 000014
【図１３】
2012231691.tif 000015
【図１４】
2012231691.tif 000016
【図１５】
2012231691.tif 000017
【図１６】
2012231691.tif 000018